(57)【要約】【課題】釣竿を手間なく簡単に梱包し、且つ毀損することなく安全に収納して配送する配送用釣竿収納容器を提供する。【解決手段】上キャップ２に吊りバンド５を装着し、その吊りバンドの上端側にストッパ部材を取り付け、下端側に、釣竿Ｒの基端側を挟持する保持部材７を取り付ける。釣竿Ｒの竿先寄りには、管体１の内径に合わせて円盤形状をなすクッション材のスペーサ１５を装着する。そして、管体１内に釣竿Ｒを吊り下げ状態で挿入して上キャップ２を被せ、ストッパ部材を上キャップ２に当てて吊りバンド５を抜け止めするとともに、竿先側をスペーサ１５で拘束した状態で釣竿Ｒを吊持して管体１内に梱包する。【選択図】　　　　図１
2004033096.tif 000002
【特許請求の範囲】
【請求項１】
釣竿の長さに応じて長尺な少なくとも上端を開放した管体内に、配送対象の釣竿を吊持状態で収納する配送用釣竿収納容器であって、
前記管体の上端開口に被せる蓋体で、バンド挿通穴を有するキャップと、
そのキャップに前記バンド挿通穴を通して装着し、上端側に抜け止め用のストッパ部材を取り付けてなる吊りバンドと、
その吊りバンドの下端側に取り付け、前記釣竿の基端側を着脱自在に挟持して該釣竿を吊持する保持部材と、
前記管体の内径に合わせた外形状のクッション材からなり、前記釣竿の竿先寄りに着脱自在に装着するスペーサとを備え、
前記釣竿を吊り下げ状態で前記管体内に挿入して前記キャップを被せたとき、前記ストッパ部材を前記キャップに当てて前記吊りバンドを抜け止めするとともに、竿先側の動きを前記スペーサで拘束して前記釣竿を前記管体内で吊持してなることを特徴とする、配送用釣竿収納容器。
【請求項２】
前記ストッパ部材を、前記吊りバンドを着脱自在に挟持するクリップ手段で形成し、前記キャップを被せて後、前記吊りバンドを引っ張り上げたとき、前記釣竿の基端面が前記キャップの底板部に突き当たる所定高さ位置にて前記ストッパ部材で前記吊りバンドを挟み付けて抜け止めしてなることを特徴とする、請求項１に記載の配送用釣竿収納容器。
【請求項３】
前記キャップの下側にて、前記吊りバンドに、前記釣竿の基端側に有する把持部の端面を受けるクッション部材を装着してなることを特徴とする、請求項２に記載の配送用釣竿収納容器。
【発明の詳細な説明】
【０００１】
【発明の属する技術分野】本発明は、釣竿を梱包して宅配便などで配送するのに好適な配送用釣竿収納容器に関する。
【０００２】
【従来の技術】従来、釣竿を梱包して宅配便などで配送する場合は、通常、釣具メーカー側で製造したプラスチック製の長尺な箱形専用容器を用い、その専用容器内に釣竿を入れて梱包している。また、市販のシート状クッション材、たとえば２枚のポリエチレン製フィルム間に、空気を密封した多数の弾性突起を形成した気泡性緩衝材を用い、これで釣竿全体を包んで梱包している。そして、たとえば輸送用車両に積載して宅配便などで目的地へ配送している。
【０００３】
【発明が解決しようとする課題】ところが、従来のプラスチック製箱形容器では、剛性に乏しいいため、配送中に衝撃を受けると、竿先側が揺れ動いて折れ曲がったりして高価な釣竿が毀損するという問題がある。また、シート状クッション材に包んで配送する場合も、そのままでは竿先側が折れ曲がりやすいために、いちいち添木を施して梱包する必要があり、これでは梱包作業に手間がかかり面倒であるという課題があった。
【０００４】
そこで、本発明の目的は、従来課題であった上述のような諸問題を解消し、釣竿を手間なく簡単に梱包し、且つ毀損することなく安全に配送する配送用釣竿収納容器を提供することにある。
【０００５】
【課題を解決するための手段】そのため、上記目的を達成すべく、請求項１に記載の発明は、たとえば以下に図面を用いて説明する実施の形態に示すとおり、釣竿Ｒの長さに応じて長尺な少なくとも上端を開放した、たとえば厚肉な紙管製の管体１内に、配送対象の釣竿Ｒを吊持状態で収納する配送用釣竿収納容器であって、前記管体１の上端開口に被せる蓋体で、バンド挿通穴４を有する上キャップ２のようなキャップと、そのキャップに前記バンド挿通穴４を通して装着し、上端側に抜け止め用のストッパ部材６を取り付けてなる吊りバンド５と、その吊りバンド５の下端側に取り付け、前記釣竿Ｒの基端側を着脱自在に挟持して該釣竿Ｒを吊持する保持部材７と、前記管体１の内径に合わせた外形状のクッション材からなり、前記釣竿Ｒの竿先寄りに着脱自在に装着するスペーサ１５とを備え、前記釣竿Ｒを吊り下げ状態で前記管体１内に挿入して前記キャップを被せたとき、前記ストッパ部材６を前記キャップに当てて前記吊りバンド５を抜け止めするとともに、竿先側の動きを前記スペーサ１５で拘束して前記釣竿Ｒを前記管体１内で吊持してなることを特徴とする。
【０００６】
請求項２に記載の発明は、請求項１に記載の配送用釣竿収納容器において、たとえば以下に図面を用いて説明する実施の形態に示すとおり、前記ストッパ部材６を、前記吊りバンド５を着脱自在に挟持するクリップ手段で形成し、前記キャップを被せて後、前記吊りバンド５を引っ張り上げたとき、前記釣竿Ｒの基端面が前記キャップの底板部に突き当たる所定高さ位置にて前記ストッパ部材６で前記吊りバンド５を挟み付けて抜け止めしてなることを特徴とする。
【０００７】
請求項３に記載の発明は、請求項２に記載の配送用釣竿収納容器において、たとえば以下に図面を用いて説明する実施の形態に示すとおり、前記キャップの下側にて、前記吊りバンド５に、前記釣竿Ｒの基端側に有する把持部１６の端面を受けるクッション部材１７を装着してなることを特徴とする。
【０００８】
【発明の実施の形態】以下、図面を参照しつつ、本発明の実施の形態について詳細に説明する。
【０００９】
図１は、本発明による配送用釣竿収納容器の一例を示す斜視図、図２はその部分拡大斜視図である。
【００１０】
図示釣竿収納容器は、符号１で示す管体を備え、その上下の両端開口にキャップ２・３を被せる構成になっている。管体１は、たとえば比較的肉厚な高強度の紙管製で、釣竿Ｒの長さを考慮し、たとえば１．６ｍ〜２．３ｍの長さに両端をカットしてつくられる。なお、管体１として、一方の上端側のみ開放した長筒状のものを用いてもよいが、その場合は当然、下キャップ３は省略される。
【００１１】
上キャップ２は、たとえばプラスチック製で、全体に深底なカップ状をなし、その蓋本体２ａの開口周縁に鍔状の押え部２ｂを設けてなる。また、蓋本体２ａの底板部中心にバンド挿通穴４を設けてなる。下キャップ３は、同じくプラスチック製で、比較的浅底のカップ状をなし、その蓋本体３ａの開口周縁に鍔状の受け部３ｂを設けてなる。
【００１２】
そのうち上キャップ２には、バンド挿通穴４に吊りバンド５を通して装着している。吊りバンド５として、図示例では、市販されたポリプロピレン製の梱包用紐部材を使用している。この吊りバンド５の図中上端側には、抜け止め用のストッパ部材６を取り付ける一方、下端側には、保持部材７を取り付ける。
【００１３】
ストッパ部材６および保持部材７は、たとえば図３に示すように、共に樹脂材料で一体成形したクリップ手段で、ヒンジ部８を中心に一対の挟持部９・１０を回動自在に形成してなる。このクリップ手段は、挟持部９・１０の基端側９ａ・１０ａに、それぞれ互いに差し込み可能な係合溝ｍ・ｎを対向して設け、円弧状の先端側９ｂ・１０ｂに、それぞれ互いに嵌合可能な係合穴ｘと二股状爪部ｙを設けた形状になっている。
【００１４】
そして、ストッパ部材６は、図２に示すように、上キャップ２の上方において、係合溝ｍ・ｎを硬く係合させることにより吊りバンド５を挟み付けて、その吊りバンド５に装着する。一方、保持部材７は、上キャップ２の下方において、同じく係合溝ｍ・ｎを硬く係合させることにより吊りバンド５を挟み付けて、その吊りバンド５に装着しておく。
【００１５】
また、図示釣竿収納容器は、図１に示すように、釣竿Ｒのロッド１１における竿先寄りに装着するスペーサ１５を備える。スペーサ１５は、軽量なクッション材、たとえば発泡ポリウレタンなどの発泡材を用いて、管体１の内径に合わせて外形円盤状に形成する。そして、このスペーサ１５には、外縁から中心に向けてバンド差し込み用の切り込み１５ａを設けてなる。
【００１６】
さらに、図示釣竿収納容器は、吊りバンド５に、釣竿Ｒのグリップ（把持部）１６の端面を受けるクッション部材１７を装着している。クッション部材１７は、たとえばスペーサ１５と同様、発泡ポリウレタンなどの発泡材を用い、図２に示すように管体１の内径に合わせて外形円盤状に形成し、中心に吊りバンド５を通す貫通穴１７ａを設けてなる。
【００１７】
さて、上述した構成の釣竿収納容器を用いて、たとえば釣竿Ｒを梱包し、宅配便などで配送する場合は、集荷先にて、保持部材７を使って釣竿Ｒを保持する。そのときは、たとえばロッド１１の基端部にテープ状のクッション材１２を巻装し、グリップ１６の端部を保護しておく。そして、保持部材７の挟持部９・１０を回動させて、クッション材１２と隣接したロッド１１の基端部を挟み込み、係合穴ｘに二股状爪部ｙを係合させ弾性的に掛け止める。一方、ロッド１１の竿先寄り、たとえば竿先から３０ｃｍ程度の位置にて、ロッド１１をスペーサ１５の切り込み１５ａに押し込んで、スペーサ１５を装着する（図１参照）。
【００１８】
その後、釣竿Ｒを、吊り下げ状態で管体１内に挿入し、キャップ２・３を管体１の上下開口に被せる。それから、上キャップ２の上側で、吊りバンド５を引っ張り上げ、釣竿Ｒのグリップ１６がクッション部材１７を介して上キャップ２の底板部に突き当たったとき、その高さ位置でストッパ部材７の係合溝ｍ・ｎを硬く係合させ、その間に吊りバンド５を挟み付けて抜け止めする。これにより、釣竿Ｒを、スペーサ１５で竿先側の動きを規制した状態で、管体１内に吊持して梱包を終える。
【００１９】
梱包後は、図４に示すように、管体１に、届け先等が記入された送り状１８を貼り付けて、管体１を持って運び出す。そして、輸送用車両に積載し、たとえば集荷作業店から適宜中継店・配達作業店へと継送して届け先に配達する。このとき、図示釣竿収納容器では、集荷から配達までの間、グリップ１６を上キャップ２に押し当てて拘束し、竿先寄りをスペーサ１５で拘束した吊持状態で、釣竿Ｒを管体１内に梱包しているため、竿先側が揺れ動いて管体１に接触することなく、管体１内で安定させて搬送される。
【００２０】
なお、不用となった上記釣竿収納容器は、廃棄することなく、届け先にて回収し、再び配送用釣竿収納容器として繰り返し使用する。そして、繰り返し使用の後、最終的に不用になると、資源有効利用のためにリサイクルに供する。
【００２１】
ところで、図示実施の形態において、ストッパ部材６は、吊りバンド５を挟み付けるクリップ手段を用いて形成したが、本発明では、吊りバンド５の抜け落ちが防止される適宜ストッパ手段であれば、そのようなクリップ手段を用いる場合に限られない。
【００２２】
また、上述した図示実施の形態では、保持部材７も、吊りバンド５を挟んでそれに取り付ける一方、ロッド１１の基端部を挟持するクリップ手段を用いて形成したが、本発明では、吊りバンド５に取り付けて釣竿の基端側を挟持可能な手段であれば、そのようなクリップ手段を用いる場合に限られない。
【００２３】
さらに、上述した図示実施の形態では、スペーサ１５を発泡材で形成したが、本発明では、たとえば樹脂製・ゴム製など、クッション性を有する材質のものであれば発泡材に限られるものではない。また、１個のスペーサ１５で竿先側の動きを規制した例を示したが、スペーサ１５は、ロッド１１の長さに応じて複数使用するようにしてもよい。
【００２４】
そして更に、上述した図示実施の形態では、管体１として肉厚な紙管製のものを用いたが、比較的軽量で所望強度を有するものであれば、プラスチック製など他の適宜材質からなる管体を使用することもできる。
【００２５】
なお、以上の図示実施の形態では、釣竿Ｒとして、ルアーフィッシング用の洋竿を用いて説明したが、本発明は、それに限らず、非伸縮式の長手和竿など、その他の各種釣竿にも適用し得るのは、勿論である。
【００２６】
【発明の効果】上述のように構成した本発明によれば、次のような効果が得られる。
【００２７】
請求項１に記載の発明によれば、吊りバンドに取り付けた保持部材で釣竿の基端側を挟持する一方、竿先寄りをスペーサで拘束した状態にて、釣竿を管体内に吊持状態で収納する構成であるため、集荷から配達までの間、竿先側が揺れ動いて管体に接触するようなことがなく、管体内で安定させて配送することができ、その結果、従来の如く配送中に竿先側が折れ曲がって高価な釣竿が毀損するなどの問題が発生することを防止することができる。
【００２８】
また、保持部材で挟持して吊り下げ状態の釣竿を管体内に挿入し、キャップを被せるだけで、竿先側の動きを拘束して釣竿が梱包される構成であるため、従来の如く釣竿にいちいち添木を施すなど面倒な作業が必要でなくなり、それだけ手間なく簡単に釣竿を梱包することができる。さらに、紙管など市販の軽量な部品を使った簡略な構成であるため、持ち運びに便利であり、コストも低減させることができる。加えて、不用となっても、廃棄することなく回収し、再び釣竿収納容器として繰り返し使用することができ、最終的に不用になっても、容易にリサイクルして資源の有効利用を図ることができる。
【００２９】
請求項２に記載の発明によれば、加えて、竿先側をスペーサで拘束するとともに、吊りバンドを引っ張り上げたとき、釣竿の基端面をキャップに押し当て、その高さ位置にてストッパ部材により抜け止めした状態で、釣竿を管体内で吊持する構成であるため、釣竿を、揺れ動かすことなく、より一層安定させて管体内に収納することができる。
【００３０】
請求項３に記載の発明によれば、加えて、吊りバンドに、釣竿の基端側に有する把持部の端面を受けるクッション部材を装着した構成であるため、釣人にとって重要な釣竿の把持部を、梱包時や搬送時に受ける衝撃から保護することができる。
【図面の簡単な説明】
【図１】本発明による配送用釣竿収納容器の一例を、釣竿収納状態で示す斜視図である。
【図２】配送用釣竿収納容器の上部側の構成を示す部分拡大斜視図である。
【図３】配送用釣竿収納容器に備える保持部材の一例を示す斜視図である。
【図４】配送用釣竿収納容器の所持状態を示す参考図である。
【符号の説明】
１　　　　　管体
２　　　　　上キャップ
４　　　　　バンド挿通穴
５　　　　　吊りバンド
６　　　　　ストッパ部材
７　　　　　保持部材
１１　　　　釣竿のロッド
１５　　　　スペーサ
１６　　　　釣竿のグリップ（把持部）
１７　　　　クッション部材
Ｒ　　　　　釣竿
【図１】
2004033096.tif 000003
【図２】
2004033096.tif 000004
【図３】
2004033096.tif 000005
【図４】
2004033096.tif 000006